(57)【要約】【課題】  視聴者の嗜好に適合したコンテンツを自動的に選択してパネルディスプレイ装置に表示する。【解決手段】  視聴態様類型識別手段ＡＵＣ（システムコントローラ１７０）によって、所謂５Ｗ１Ｈの視点から視聴者による視聴の類型が識別され、コンテンツ選択供給手段（システムコントローラ１７０＋入力切換部１６１）によって、該識別された類型に対応したコンテンツが選択されて、適用された映像表示部１６０または音声出力部１４２の何れか一方または双方に該選択されたコンテンツが供給されて、映像が表示され、および／または、音声が出力される。【選択図】  図２
2007189397.tif 000002
【特許請求の範囲】
【請求項１】
視聴者による視聴の類型を識別する視聴態様類型識別手段と、前記視聴態様類型識別手段によって識別された類型に対応したコンテンツを選択して映像表示部または音声出力部の何れか一方または双方に供給するコンテンツ選択供給手段と、を備えていることを特徴とするパネルディスプレイ装置。
【請求項２】
前記視聴態様類型識別手段は、リモートコントローラから視聴者を識別する視聴者識別情報を得て、該得られた視聴者識別情報に基づいて、該視聴者に対応するものとして予め蓄積された類型情報に依拠して視聴の類型を識別するように構成されていることを特徴とする請求項１に記載のパネルディスプレイ装置。
【請求項３】
前記視聴態様類型識別手段は、カメラによる撮影画像から視聴者を識別する視聴者識別情報を得て、該得られた視聴者識別情報に基づいて、該視聴者に対応するものとして予め蓄積された類型情報に依拠して視聴の類型を識別するように構成されていることを特徴とする請求項１に記載のパネルディスプレイ装置。
【請求項４】
前記視聴態様類型識別手段は、ＲＦ−ＩＤ装置から視聴者を識別する視聴者識別情報を得て、該得られた視聴者識別情報に基づいて、該視聴者に対応するものとして予め蓄積された類型情報に依拠して視聴の類型を識別するように構成されていることを特徴とする請求項１に記載のパネルディスプレイ装置。
【請求項５】
前記視聴態様類型識別手段は、ＧＰＳ装置または電波時計情報受信装置から得た標準時刻情報を、視聴の類型を識別するための一つの条件として利用するように構成されていることを特徴とする請求項１に記載のパネルディスプレイ装置。
【請求項６】
前記視聴態様類型識別手段は、ＧＰＳ装置またはＩＰ網の情報を受信するＩＰ網情報受信装置から得た当該パネルディスプレイ装置の設置位置を表す設置位置情報を、視聴の類型を識別するための一つの条件として利用するように構成されていることを特徴とする請求項１に記載のパネルディスプレイ装置。
【請求項７】
前記視聴態様類型識別手段は、視聴履歴のあるコンテンツに係るメタデータまたは該コンテンツを表す番組情報が掲載された番組データもしくは視聴者によるコンテンツの選択切換え状況を表す切換え操作データのうちの何れかのデータを視聴の類型を識別するための一つの条件として利用するように構成されていることを特徴とする請求項１に記載のパネルディスプレイ装置。
【請求項８】
前記視聴態様類型識別手段は、コンテンツの供給元を表すソース情報または視聴者によるリモートコントローラの操作状況を表す切換え操作情報のうちの何れかの情報を視聴の類型を識別するための一つの条件として利用するように構成されていることを特徴とする請求項１に記載のパネルディスプレイ装置。
【請求項９】
前記視聴態様類型識別手段は、前記映像表示部に供給する映像の画質の等級を表す画質情報または映像および音声の双方の再生か何れか一方の再生かの別を表す映像／音声情報のうちの何れかの情報を視聴の類型を識別するための一つの条件として利用するように構成されていることを特徴とする請求項１に記載のパネルディスプレイ装置。
【請求項１０】
視聴者による視聴の類型を識別し、該識別された類型に対応したコンテンツを選択して映像表示部および音声出力部の何れか一方または双方に供給することを特徴とするコンテンツ提供方法。
【発明の詳細な説明】
【技術分野】
【０００１】
本発明は、視聴者による視聴の類型を自動的に識別し、該識別された類型に対応したコンテンツを選択して映像表示部または音声出力部での再生に供するようにするパネルディスプレイ装置およびコンテンツ提供方法に関する。
【背景技術】
【０００２】
近年、例えば、家庭内で用いられる種々の制御対象機器を手許の遠隔制御装置（リモートコントローラ）でリモートコントロールすることが普通に行われるようになってきている。テレビジョン装置やビデオ録画装置などのマルチメディア機器の多くは、リモートコントロール機能を備えている。
これらの機器では、同種の機器であっても誤動作を防止するために識別番号を割り当てることによって対応するリモートコントローラを区別している。更に、マルチメディア機器で管理する制御情報に識別情報を付加することにより、マルチメディア機器は特定のリモートコントローラの操作のみを受け付ける。
【０００３】
また一方、複数のユーザーが使用する一台のマルチメディア機器において、リモートコントローラ自体の識別情報とは別に、使用者のＩＤ若しくはパスワード等の識別情報の認証を行うようにしている。即ち、マルチメディア機器内にユーザー個人及びユーザーグループのプライベートのデータ情報を記憶し、これらの記憶情報に対応する入力を俟って認証が成立するようにしている。
【０００４】
このような認証は煩雑であるため、マルチメディア機器のユーザービリティを向上させるべく、リモートコントローラにユーザーの認証情報を設定しておき、被制御装置をこのリモートコントローラによってリモートコントロール可能とし、リモートコントローラからマルチメディア機器を操作する際、リモートコントローラから送信されたユーザーの認証情報に従い、ユーザーを認証するようにして、その認証結果に従い、正当な使用者であると認証された場合、マルチメディア機器の使用を許可することが提案されている（特許文献１参照）。
【０００５】
他方、リモートコントローラ側に、操作対象機器から送信された機器特定信号を受信する受信部と、受信した信号から操作対象機器を認証する認証部とを備えるようにして、このリモートコントローラから機器特定要求を操作対象機器へと送信し、操作対象機器からの機器固有信号をリモートコントローラ側で受け取り、該受け取った信号から操作対象機器を認識し、当該リモートコントローラにおける設定をその操作対象機器の制御コードへと切り替えることにより、目下の対象機器をリモートコントロールできるようにして、操作対象の切り替え操作をすることなく、簡易に操作対象機器を設定することができるようにするといった提案もなされている（特許文献２参照）。
【特許文献１】特開２００４−１６５７５４号公報（段落０００２〜段落００１０、図１）
【特許文献２】特開２００５−２１０５７６号公報（段落０００５〜段落０００８、図１）
【発明の開示】
【発明が解決しようとする課題】
【０００６】
しかしながら、特許文献１におけるように、制御対象となる機器側からユーザーの認証を行ったり、特許文献２におけるように、リモートコントローラによって複数種類の制御対象機器のうちから目下の遠隔操作の対象とする機器を認証することを可能にする提案はなされているが、これらの認証に基づいて表示器に出力するコンテンツの選択を自動的に行って視聴者の便宜に供するといった着想は皆無である。
【０００７】
また一方、パネルディスプレイ装置に供給されるコンテンツは放送系ばかりでなく、通信系のプロバイダーを通しての入力や、パッケージ系メディア、更には、プライベートコンテンツが有り、同一コンテンツに対しての取得方法も多様になって来ており、装置に不慣れな視聴者にとっては、所望のコンテンツを視聴するに至るまでの操作は煩瑣に耐えない。
【０００８】
通常、使用者に提供されたコンテンツの履歴はパネルディスプレイ装置には全く記憶されていないので、どの様なコンテンツが何時、何処で、どの様に視聴者に提供されたかはパネルディスプレイ装置自体では全く認識され得ない。勿論、有料放送コンテンツの視聴制御は然るべき手段で行われるが、履歴としてパネルディスプレイ装置には記録されていないため、このような履歴に依拠して視聴者の嗜好に合ったコンテンツを選択するといったようなことは原理的にできない。
【０００９】
本発明はこのような状況に鑑みてなされたものであり、視聴者によるコンテンツの選択の傾向や再生しようとする映像などの供給元としての情報源の選択の状況等々に関する視聴の類型を視聴の履歴に基づいて自動的に識別し、該識別された類型に対応したコンテンツを選択して映像表示部または音声出力部での再生に供するようにするパネルディスプレイ装置およびコンテンツ提供方法を具現することを目的とする。
【課題を解決するための手段】
【００１０】
上記課題を解決するべく、本願では次に列記するような技術を提案する。尚、本願において「パネルディスプレイ装置」の語は、デジタルテレビジョン受像機として具現される場合の装置を包摂し、更に、携帯電話機や携帯情報端末として具現される場合のものを包摂する広義の概念として用いている。
【００１１】
（１）視聴者による視聴の類型を識別する視聴態様類型識別手段と、前記視聴態様類型識別手段によって識別された類型に対応したコンテンツを選択して映像表示部または音声出力部の何れか一方または双方に供給するコンテンツ選択供給手段と、を備えていることを特徴とするパネルディスプレイ装置。
上記（１）のパネルディスプレイ装置では、視聴態様類型識別手段によって、視聴者による視聴の類型が識別され、コンテンツ選択供給手段によって、該識別された類型に対応したコンテンツが選択されて、適用された映像表示部または音声出力部の何れか一方または双方に該選択されたコンテンツが供給されて、映像が表示され、および／または、音声が出力される。
【００１２】
（２）前記視聴態様類型識別手段は、リモートコントローラから視聴者を識別する視聴者識別情報を得て、該得られた視聴者識別情報に基づいて、該視聴者に対応するものとして予め蓄積された類型情報に依拠して視聴の類型を識別するように構成されていることを特徴とする（１）のパネルディスプレイ装置。
上記（２）のパネルディスプレイ装置では、（１）のパネルディスプレイ装置による作用において特に、リモートコントローラがその目下の使用者である視聴者を例えば特定の認証操作等に基づいて認識していて、この認識をパネルディスプレイ装置側の視聴態様類型識別手段が取得して、該取得された視聴者識別情報に基づいて、該視聴者に対応するものとしてパネルディスプレイ装置（本体）側に予め蓄積された類型情報との照合などによって視聴の類型を識別する。
【００１３】
（３）前記視聴態様類型識別手段は、カメラによる撮影画像から視聴者を識別する視聴者識別情報を得て、該得られた視聴者識別情報に基づいて、該視聴者に対応するものとして予め蓄積された類型情報に依拠して視聴の類型を識別するように構成されていることを特徴とする（１）のパネルディスプレイ装置。
上記（３）のパネルディスプレイ装置では、（１）のパネルディスプレイ装置による作用において特に、視聴態様類型識別手段は、適用されたカメラによって視聴者を撮影して得られる撮影画像から例えば画像認識技術等によって視聴者を識別した結果としての視聴者識別情報を得て、この視聴者識別情報に基づいて、該視聴者に対応するものとしてパネルディスプレイ装置に予め蓄積された類型情報との照合などによって視聴の類型を識別する。
【００１４】
（４）前記視聴態様類型識別手段は、ＲＦ−ＩＤ装置から視聴者を識別する視聴者識別情報を得て、該得られた視聴者識別情報に基づいて、該視聴者に対応するものとして予め蓄積された類型情報に依拠して視聴の類型を識別するように構成されていることを特徴とする（１）のパネルディスプレイ装置。
上記（４）のパネルディスプレイ装置では、（１）のパネルディスプレイ装置による作用において特に、視聴態様類型識別手段は、例えば、視聴者が保有する腕時計等に組み込まれる等して構成されたＲＦ−ＩＤ装置からこれに対応する検出装置等によって視聴者を識別した結果としての視聴者識別情報を取得し、この視聴者識別情報に基づいて、該視聴者に対応するものとしてパネルディスプレイ装置に予め蓄積された類型情報との照合などによって視聴の類型を識別する。
【００１５】
（５）前記視聴態様類型識別手段は、ＧＰＳ装置または電波時計情報受信装置から得た標準時刻情報を、視聴の類型を識別するための一つの条件として利用するように構成されていることを特徴とする（１）のパネルディスプレイ装置。
上記（５）のパネルディスプレイ装置では、（１）のパネルディスプレイ装置による作用において特に、視聴態様類型識別手段は、例えば、デジタルテレビジョン受像機等の形態をとるパネルディスプレイ装置に設置時点での調整用に備えられているＧＰＳ装置または電波時計情報受信装置から標準時刻情報を取得して、この標準時刻情報たる時を表す情報を視聴の類型を識別するための一つの条件として利用する。
【００１６】
（６）前記視聴態様類型識別手段は、ＧＰＳ装置またはＩＰ網の情報を受信するＩＰ網情報受信装置から得た当該パネルディスプレイ装置の設置位置を表す設置位置情報を、視聴の類型を識別するための一つの条件として利用するように構成されていることを特徴とする（１）のパネルディスプレイ装置。
上記（６）のパネルディスプレイ装置では、（１）のパネルディスプレイ装置による作用において特に、視聴態様類型識別手段は、例えば、デジタルテレビジョン受像機等の形態をとるパネルディスプレイ装置に設置時点での調整用に備えられているＧＰＳ装置または
ＩＰ網の情報を受信するＩＰ網情報受信装置から得た当該パネルディスプレイ装置の設置位置を表す設置位置情報を取得して、この設置位置情報を視聴の類型を識別するための一つの条件として利用する。
【００１７】
（７）前記視聴態様類型識別手段は、視聴履歴のあるコンテンツに係るメタデータまたは該コンテンツを表す番組情報が掲載された番組データもしくは視聴者によるコンテンツの選択切換え状況を表す切換え操作データのうちの何れかのデータを視聴の類型を識別するための一つの条件として利用するように構成されていることを特徴とする（１）のパネルディスプレイ装置。
上記（７）のパネルディスプレイ装置では、（１）のパネルディスプレイ装置による作用において特に、視聴態様類型識別手段は、デジタルテレビジョン放送のコンテンツに通常付加されているメタデータ、または、該コンテンツを表す番組情報が掲載された例えばＥＰＧにおける番組データ、もしくは、視聴者による例えばリモートコントローラでのコンテンツの選択切換え状況を表す切換え操作データのうちの何れかのデータを視聴の類型を識別するための一つの条件として利用する。
【００１８】
（８）前記視聴態様類型識別手段は、コンテンツの供給元を表すソース情報または視聴者によるリモートコントローラの操作状況を表す切換え操作情報のうちの何れかの情報を視聴の類型を識別するための一つの条件として利用するように構成されていることを特徴とする（１）のパネルディスプレイ装置。
上記（８）のパネルディスプレイ装置では、（１）のパネルディスプレイ装置による作用において特に、視聴態様類型識別手段は、例えばアンテナケーブルか、セットトップボックスか或いはＰＶＲかといったようなコンテンツの供給元を表すソース情報、または、視聴者によるリモートコントローラでの例えばコンテンツの選択切換え操作等の状況を表す切換え操作情報のうちの何れかの情報を視聴の類型を識別するための一つの条件として利用する。
【００１９】
（９）前記視聴態様類型識別手段は、前記映像表示部に供給する映像の画質の等級を表す画質情報または映像および音声の双方の再生か何れか一方の再生かの別を表す映像／音声情報のうちの何れかの情報を視聴の類型を識別するための一つの条件として利用するように構成されていることを特徴とする（１）のパネルディスプレイ装置。
上記（９）のパネルディスプレイ装置では、（１）のパネルディスプレイ装置による作用において特に、視聴態様類型識別手段は、例えば通常画質か或いは高精細画質かといったような映像表示部に供給する映像の画質の等級を表す画質情報、または、映像と音声との双方の再生か或いは何れか一方だけの再生かといった別を表す映像／音声情報のうちの何れかの情報を視聴の類型を識別するための一つの条件として利用する。
【００２０】
（１０）視聴者による視聴の類型を識別し、該識別された類型に対応したコンテンツを選択して映像表示部および音声出力部の何れか一方または双方に供給することを特徴とするコンテンツ提供方法。
上記（１０）のコンテンツ提供方法では、例えば、リモートコントローラでの使用者認証による視聴者の識別に係る情報やカメラによる撮影情報や、或いは、ＲＦ−ＩＤ装置を利用した使用者の認証情報、更には、現在時刻の情報、設置位置の情報、コンテンツを表す情報、視聴者の意図を表す情報、画質を表す情報等々を利用して視聴者による視聴の類型を識別し、該識別された類型に対応したコンテンツを選択して映像表示部および音声出力部の何れか一方または双方に供給する。
【発明を実施するための最良の形態】
【００２１】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一つの実施の形態としてのパネルディスプレイ装置とその使用状況を表す図である。
【００２２】
図１において、パネルディスプレイ装置としてのデジタルテレビジョン受像機（以下、デジタルテレビという）１００はこれに対応するリモートコントローラ２００から赤外光等による制御信号を受けてその動作が制御され得るように構成されている。
デジタルテレビ１００は、その筐体１０１に、映像を映出するスクリーン１０２を持つ例えば液晶表示器あるいはプラズマディスプレイ等の表示器１６０を備えている。
【００２３】
本例では、デジタルテレビ１００の、スクリーン１０２の上方中央の筐体１０１の部分にカメラ１９０が備えられている。カメラ１９０は、一点鎖線で示されているようにその撮像視野内に通常視聴者が位置する領域が含まれるように設置されている。更に、スクリーン１０２の上方右側に寄った位置の筐体１０１の部分にはＲＦ−ＩＤ検出部６６０が設けられている。
【００２４】
また、デジタルテレビ１００の、スクリーン１０２の下方の右側に寄った位置の筐体１０１の部分にはリモートコントローラ２００からの例えば赤外光によるリモートコントロール信号を受けるリモートコントロール信号検出用窓１８０が設けられている。
図示の場面では、視聴者ＧＦがリモートコントローラ２００に対する、例えば所定のキー操作或いは後述するようにリモートコントローラ２００自体を所定の運動軌跡を描くように振り動かす操作によるユーザーの認証操作を行うと、リモートコントローラ２００におけるこの認証に応じて、リモートコントロール信号にのせてこの認証結果がデジタルテレビ１００に供給され、該供給された認証結果の情報に基づいてデジタルテレビ１００に自動的に所望のコンテンツ候補が表示される。
【００２５】
この場合、視聴者ＧＦは、表示されるコンテンツを、放送から得るのか、後述するＰＶＲやセットトップボックスから得るのか、更には、放送から得るとしても、地上デジタル放送か或いは衛星放送なのかといった、映像情報の源（ソース）を選択するといた煩雑な操作から開放され、自動的に装置側（パネルディスプレイ装置としてのデジタルテレビ１００）が選択したコンテンツが表示される。
【００２６】
この実施の形態では更に、視聴者の識別を上述のようにリモートコントローラ２００におけるユーザーの認証によって行うモードの他に、カメラ１９０によって視聴者を撮影して得られる撮影画像から例えば画像認識技術等によって視聴者を識別するモード、更にまた、視聴者ＧＦがユーザーを特定するＲＦ−ＩＤタグが搭載された腕時計６００を、二点鎖線で示すように、既述のＲＦ−ＩＤ検出部６６０にかざすことによって視聴者を識別するモードが選択的に機能し得るように構成されている。この種の腕時計自体は、例えば、本出願人が先に提案した特開２００２−３００６５１号公報所載の腕時計のようなＲＦ信号の授受によってユーザー認証を行う機能を搭載した形態のものとして実現される。
【００２７】
上述の何れのモードの場合でも、リモートコントローラ２００に対する更なる操作によって、表示器１６０に表示されるコンテンツを切換えたり、或いは電源をオフにしたりすることができることは通常のこの種のデジタルテレビジョン受像機とリモートコントローラにおけると全く同様である。
また図示の場面では、視聴者ＧＦの孫のような他の視聴者ＧＣがカメラ１９０の一点鎖線で示されたその撮像視野内に立ち入った状態にあるが、本実施の形態では、このような場合、カメラ１９０は視聴者ＧＦおよび視聴者ＧＣの双方を撮影し、複数の視聴者の存在する画像ないしこの画像に関する画像認識処理の結果を視聴履歴として保存し、このような場合にも適切に対応できる。
【００２８】
図２は、図１のパネルディスプレイ装置としてのデジタルテレビ１００の構成を示すブロック図である。アンテナ１１０で受信された放送波は復調・フィルタリング部１２０で復調され、トランスポートストリームが抽出され、視聴者（ユーザー）による選局に応じた映像及び音声並びに番組情報を取得するためのフィルタリングが行われる。復調・フィルタリング部１２０の映像出力は映像処理部１３０に供給され、音声出力は音声処理部１４０に供給され、番組情報はＯＳＤ部１３１に供給される。
【００２９】
映像処理部１３０の出力にはＯＳＤ部１３１からの出力が重畳され、このような番組情報が重畳された映像信号により表示器１６０に映像が映出されるが、表示器１６０の前段には映像処理部１３０（チューナ出力）の他にＰＶＲ（Personal Video Recorder）３００等のような他の種々の映像再生装置の出力のうちの何れか一のものを選択的に映像処理部１３０に供給する入力切換部１６１が介在している。
【００３０】
ＯＳＤ部１３１の出力に基づいて表示器１６０の画面上に番組情報やその他の情報が映像に重畳するようにして、或いは、画面内の一画を占めるようにして表示される。また、ポインティングもＯＳＤ部１３１を介して表示器１６０の画面上の目的とする位置に特定のマーカ等を表示することにより行われる。更に、このデジタルテレビ１００のＧＵＩ（Graphical User Interface）もこのＯＳＤ部１３１から表示器１６０に所定のパターンを映出するための信号を供給することによって実現されるように構成されている。
【００３１】
一方、復調・フィルタリング部１２０からの音声信号を処理する音声処理部１４０の出力は増幅器１４１を介して対応するスピーカ１４２に供給されて、ステレオ音声が発音される。このようにステレオ音声が発音されるために増幅器１４１及びスピーカ１４２は左チャンネルと右チャンネルとの２系統が用意されているが、図２では便宜的に、両系統を一まとめにして表現してある。
【００３２】
復調・フィルタリング部１２０、音声処理部１４０、ＯＳＤ部１３１、及び、入力切換部１６１を含むデジタルテレビ１００の系全体を統括的に制御するマイクロプロセッサを主要な構成要素として含むシステムコントローラ１７０が設けられている。
このシステムコントローラ１７０には視聴者（ユーザー）による操作を受け付ける操作キー等を含んで構成される操作部１７１の出力が供給されるようになされ、また、メモリ１７２がアクセス可能に接続されて所要のタイミングでデータ（情報）の格納と読み出しが実行される。
【００３３】
一方、図１を参照して既述のリモートコントロール信号検出用窓１８０の背後にリモートコントロール信号を受けるように設けられたリモートコントロール信号受信部１８１の出力が信号増幅回路等を含んで構成され、リモートコントロール信号受信部１８１で受けた信号をシステムコントローラ１７０における取り扱いに適合した信号に変換するリモートコントロール信号デコード部１８２を介してシステムコントローラ１７０に供給されるように接続されている。
【００３４】
システムコントローラ１７０はその各該当する機能部の働きによって本発明の枢要な構成要件としての各手段乃至それを構成する部分として機能するようになされている。上述のＧＵＩを実現するためにＯＳＤ部１３１から表示器１６０に供給される所定のパターンを表す信号も、このシステムコントローラ１７０からＯＳＤ部１３１に供給される信号に基づいて生成されるものである。
【００３５】
リモートコントロール信号受信部１８１で受信した制御信号（リモートコントロール信号デコード部１８２でデコードされた信号）に応じて表示装置の画面における指標の移動・確定操作を認識し、該認識に基づいて行われる被制御動作もこのシステムコントローラ１７０によって実行される。
また、ユーザーによる操作部１７１に対する映像情報源を選択するための操作、或いは、遠隔操作に基づいてリモートコントロール信号受信部１８１で受けた映像情報源を選択する信号に応じて、システムコントローラ１７０から入力切換部１６１に与えられる指令に応じて、この入力切換部１６１が表示器１６０に供給する映像情報源を選択する。
【００３６】
このような映像情報源の選択によって、映像処理部の出力（チューナ出力）、又は、ＰＶＲ３００の再生出力、若しくは、その他の映像信号源からの出力がユーザーの任意に応じて選択されて表示器１６０に供給され映像が映出されることになる。このデジタルテレビ１００（システムコントローラ１７０）は、現在時点で表示器１６０に映出されている映像の情報源を常時認識している。
【００３７】
更に、システムコントローラ１７０には、この種の映像機器において通常の仕様とされるＩＰ網４００との接続を可能にするためのＩＰ網インターフェース部１５１が接続されている。本例のデジタルテレビ１００は、このＩＰ網インターフェース部１５１を通してＩＰ網４００と、従って、ＩＰ網４００を介してサーバ４５０のような情報源と結ばれて広範囲に情報の授受を行うことが可能である。
【００３８】
更にまた、近年急速に普及の兆しが明らかになりつつある所謂ホーム・ネットワークでデジタルＡＶ機器同士やパーソナルコンピュータを相互に接続し、動画、音楽、静止画等のデータを相互利用する仕様に係るＤＬＮＡ（Digital Living Network Alliance）所定のガイドラインに準拠した通信方式でＰＶＲ等の外部機器との接続を行うためのＤＬＮＡインターフェース部１５２もシステムコントローラ１７０に接続されている。
【００３９】
図示の例では、このＤＬＮＡインターフェース部１５２を通してデジタルテレビ１００とＰＶＲ３００とはその操作に係る制御信号の授受を行う。
また、セットトップボックス（ＳＴＢ）３１０もシステムコントローラ１７０と結ばれてシステムコントローラ１７０の制御下で動作するように構成され、このＳＴＢ３１０の出力も入力切換部１６１によって選択的に切換えられて表示器１６０に供給される。即ち、ＳＴＢ３１０も既述の映像情報源のうちの一のものに該当する。
【００４０】
尚、図１を参照して既述のカメラ１９０もシステムコントローラ１７０の制御下で動作するように構成され、撮影によって得られた画像の信号がシステムコントローラ１７０に供給されるようになっている。更に、ＲＦ−ＩＤ検出部６６０の出力もシステムコントローラ１７０に供給される。
図３は、図１中のリモートコントローラ２００の構成を示すブロック図である。リモートコントローラ２００の筐体２０１には自己の位置の相対的変化を非接触で検出する公知の慣性センサや所謂ジャイロ等で構成される相対位置検出手段２１１が設けられている。昨今開発されて公知の慣性センサの中には極めて小型で検出精度に優れたものがあるため、このようなセンサを適用すれば遠隔制御装置の位置や姿勢が的確に検出され得る。
【００４１】
この相対位置検出手段２１１における検出特性を例えば特性可変のフィルタでフィルタリング処理する等して調整する検出特性調整部２１２が設けられ、その出力がシステムコントローラ２３０に供給されるように接続されている。
この検出特性調整部２１２によって、筐体２０１の位置及び姿勢に係る相対的変化を非接触で検出するに際しての当該相対的変化の量乃至速度に対する検出値の対応関係を適宜に変更することによって、リモートコントローラ２００を用いる目的、場所、時間、使用者の個性や直感等の諸条件によく適合した遠隔制御のための操作を操作者の任意により選択することが可能になる。
【００４２】
システムコントローラ２３０はリモートコントローラ２００の回路系を統括的に制御し種々の演算を実行するマイクロプロセッサを主要な構成要素として含んで構成され、その各該当する機能部の働きによってこのリモートコントローラ２００の枢要な構成要件としての各手段として機能するようになされている。
図１を参照して説明した赤外光等によるリモートコントロール信号を発する赤外ＬＥＤ等の発光素子を含んでなるリモートコントロール信号投射部２２０は、上述のシステムコントローラ２３０からの指令に応じて所要のリモートコントロール信号を発する。
【００４３】
システムコントローラ２３０には、リモートコントローラ２００の筐体２０１に設けられた操作キーと液晶表示器を有する操作・表示部２３１が制御や表示のための信号の授受が行われるように接続され、更に、アクセスしてデータの授受を行い得るようにメモリ２３２が接続され、また、パーソナルコンピュータのような外部の情報処理装置との交信を行うための外部機器インターフェース２４０が接続されている。
【００４４】
このリモートコントローラ２００には特に、外部機器に接続されているときには、接続状態であることを検出する接続検出部２５１が設けられ、その検出出力がシステムコントローラ２３０に入力されるように接続されている。
本例のリモートコントローラ２００では、ユーザーが筐体２０１を持って空間に意図的に軌跡を描くが如く上下左右に振ってその位置や姿勢を変える操作に応じて相対位置検出手段２１１における検出値に対応する変位データがシステムコントローラ２３０で生成される。このようにして生成される変位データのうちのひとつが、図１を参照して既述のユーザーの認証のためのデータであり、リモートコントロール信号にのせてこの認証結果がデジタルテレビ１００に供給され、該供給された認証結果の情報に基づいてデジタルテレビ１００に自動的に所望のコンテンツ候補が表示される。
【００４５】
システムコントローラ２３０は更に、この変位データに基づいて所定の複数の制御対象機器（デジタルテレビ１００、ＰＶＲ３００、ＳＴＢ３１０、或いはその他の同種又は異種の機器）のうち選択した一の制御対象機器に対する操作に適用する制御信号を生成する制御信号生成手段をその該当する機能部によって構成している。生成された制御信号は制御信号送出手段を構成する赤外光等による制御信号を発する制御信号投射部２２０から当該制御対象機器に向けて送出される。
【００４６】
図４は、本発明の実施の形態としてのパネルディスプレイ装置の動作を説明するためのフローチャートである。
このフローチャートにおける各ステップの処理は、図２のシステムコントローラ１７０の該当する機能部によって実行される。図１の、リモートコントローラ２００からのパネルディスプレイ装置の操作に関する信号（情報）、または、ＲＦ−ＩＤタグを搭載した腕時計６００によるユーザー認識の情報、或いは、カメラ１９０による撮影情報が取得される（ステップＳ４０１）。
【００４７】
このステップＳ４０１での処理は、リモートコントローラ２００からの情報をリモートコントロール信号受信部１８１によって検出し、または、ＲＦ−ＩＤタグを搭載した腕時計６００からの情報をＲＦ−ＩＤ検出部６６０で検出し、或いは、カメラ１９０で撮像視野を撮影して取得した画像情報をシステムコントローラ１７０における該当する機能部によって画像認識処理した結果として取得されるが、これらは必ずしも全てが取得されることを要するものではなく、これらのうちの一のものが取得されればよい。
【００４８】
次いで、パネルディスプレイ装置１００の映像を視聴するに適するものとして適宜に設定された視聴領域内に視聴者が存在する状態になっていることが、ステップＳ４０１で取得された何れか一の、或いは、複数の、情報に基づいて判断される（ステップＳ４０２）。
ステップＳ４０２における判断は、ステップＳ４０１での処理に基づく情報に依拠して行うほか、例えば図示しない公知の赤外線人体感知装置や超音波センサー等によって検出される情報に依拠してこれを行ってもよい。
【００４９】
このステップＳ４０２で、視聴領域内に視聴者が存在するものと判断されるまではその状態で待機し（ステップＳ４０２：Ｎｏ）、視聴領域内に視聴者が存在するものと判断されたときには（ステップＳ４０２：Ｙｅｓ）、ステップＳ４０３に移行する。
ステップＳ４０３では、パネルディスプレイ装置１００について、既に、その時点における設置位置の情報が取得されているか否かが、メモリ１７２等に保存された履歴情報に基づいて判断される。
【００５０】
本例のパネルディスプレイ装置１００はデジタルテレビジョン受像機として具現されているものであるため、通常は、当初の設置時点における調整操作に関係して、その設置位置の情報が取得されている。
しかしながら、当初の設置時点以降においても、所有者（視聴者）の都合で移転されることもあるため、改めて、この現在時点でステップＳ４０３の判断を行う。
【００５１】
ステップＳ４０３で現在時点での自己の設置位置が取得されていないと判断されたときには（ステップＳ４０３：Ｎｏ）、次いで、この設置位置の情報が取得される（ステップＳ４０４）。
ステップＳ４０４における位置情報の取得について更に説明する。近年、大型パネルディスプレイ装置の設置時には、郵便番号や電話番号を入力する事により、設置場所情報を得て、受信周波数、通信経路等を設定するため、このような入力に基づいて設置位置の情報が取得され得る。一方、携帯用パネルディスプレイ装置については、移動場所に応じての情報の授受が行われる様になって来ているので、種々のパネルディスプレイ装置についてその現在位置の情報は取得が可能である。
【００５２】
例えば、図示しない公知のＧＰＳシステムや、ＩＰ網を通しての地図情報表示等を用いて正確な設置位置（所在位置）を取得し、メモリ１７２に保存することにより設定記録させて種々の所要の初期調整に供する。
この情報は、pi:ISO6709(+360306.189+1380704.322+600/)という様な標準的な位置情報記述フォーマットによりメモリ１７２に保存しておき、所要に応じて、外部情報機器に提供することが可能な形で取り扱うことは推奨される。
【００５３】
外部情報機器への提供は、例えば、ＱＲコード等で、携帯電話に供給したり、図５を参照して後述する５Ｗ１Ｈの視聴履歴として、コンテンツ供給解析用のパーソナルコンピュータ等に情報を提供するような場合がこれに該当する。
ステップＳ４０４で位置情報が取得されると、次いで、現在時点における時刻情報が取得される（ステップＳ４０５）。尚、ステップＳ４０３で、位置情報が既に取得されていると判断されたときには（ステップＳ４０３：Ｙｅｓ）、直ちにこのステップＳ４０５に移行する。
【００５４】
ステップＳ４０５における時刻情報の取得は、例えば、ＧＰＳシステムや電波時計、或いはＩＰ網等から取得するようにして実行され、このようにして取得した標準時刻を高精度に保持する。
ステップＳ４０５で時刻情報が取得されると、次いで、ステップＳ４０５までの処理で取得した情報をも併せ考慮して、その時点での視聴者を予測する視聴者予測処理を実行する（ステップＳ４０６）。ステップＳ４０６の視聴者予測処理の詳細については、図５を参照しつつ後述する。
【００５５】
次いで、システムコントローラ１７０によるステップＳ４０６の処理で予測された視聴者に応じて、予め学習等の演算処理によって形成され、或いはまた、所謂デフォルトとして設定された視聴者による視聴の類型が識別され、システムコントローラ１７０とこの指令に応答して作動する入力切換部１６１等で構成されるコンテンツ選択供給手段によって、該識別された類型に対応したコンテンツが選択されて（ステップＳ４０７）、適用された映像表示部としての表示器１６０または音声出力部としてのスピーカ１４２の何れか一方または双方に該選択されたコンテンツが供給されて、映像が表示され、および／または、音声が出力される。
【００５６】
ステップＳ４０８で表示器１６０に表示が行われると、この表示に係るコンテンツの予定された継続時間内での視聴者によるコンテンツの変更操作の発生が監視される（ステップＳ４０９）。
ステップＳ４０９でコンテンツの変更操作の発生が認識されたときには（ステップＳ４０９：Ｙｅｓ）、表示器１６０に供給するコンテンツがこの変更操作によって指定されたものとなるように入力切換部１６１を制御して、表示器１６０に変更によって選択されたコンテンツが表示されるようにする（ステップＳ４１０）。
【００５７】
ステップＳ４１０での表示器１６０に表示するコンテンツの切換えに伴って、このときの視聴者について、当該コンテンツの選択ないし視聴態様に関連して逐次蓄積されメモリ１７２に保存された情報を更新する（ステップＳ４１１）。
このようなコンテンツの変更が発生したということは、即ち、この視聴者は、少なくとも変更前のコンテンツについては、予定された全経過時間に亘って視聴する意思がない程度の関心しか示さず、或いはまた、その時間帯には、ゆっくりと全部を視聴する時間的余裕がない状況にあるといったことが推定されるため、上述のようなコンテンツの変更が発生したことを以て、当該視聴者と選択を欲するコンテンツとの相関についての情報を更新するようにしている。
【００５８】
ステップＳ４１１の後、変更後のコンテンツの表示を継続するか終了するかが判断され（ステップＳ４１２：継続）、継続するときにはステップＳ４０９に戻る。一方、終了するときには（ステップＳ４１２：終了）この処理を終了する。
既述のステップＳ４０９でこの表示に係るコンテンツの予定された継続時間内での視聴者によるコンテンツの変更操作が発生しないときには、予定時間が経過するのを待って（ステップＳ４１３）更に切換えて他のコンテンツを見るか終了するかが判断され（ステップＳ４１４）、継続すると判断されたときには（ステップＳ４１４：継続）ステップＳ４０７に戻る。一方、終了するときには（ステップＳ４１４：終了）この処理を終了する。
【００５９】
図５は図４のフローチャートにおける視聴者予測処理に関係する動作の詳細を説明するための概念図である。
本発明の実施の形態としてのパネルディスプレイ装置では、システムコントローラ１７０の該当する機能部を主体に構成される視聴態様類型識別手段によって、視聴者による視聴の類型が識別され、システムコントローラ１７０とこの制御下で作動する入力切換部１６１を主体に構成されるコンテンツ選択供給手段によって、該識別された類型に対応したコンテンツが選択されて、適用された映像表示部としての表示器１６０または音声出力部としてのスピーカ１４２の何れか一方または双方に該選択されたコンテンツが供給されて、映像が表示され、および／または、音声が出力される。
【００６０】
茲に視聴の類型の識別とは、典型的には、視聴者毎の視聴の態様の類型であり、具体的には、ある一の視聴者が特定されれば、この視聴者については、或る曜日の或る時間帯ではどのようなコンテンツをどのような画質乃至は情報ソースから取得して視聴する蓋然性が高いのかといったような種々の観点からの視聴の経歴に基づいて形成される類型のことであり、端的には、目下の視聴者は誰かといった認識に付帯する傾向であるとも言える。
【００６１】
そこで、本発明の実施の形態では、典型的には、パネルディスプレイ装置によってその映像の表示を現実に視聴したという履歴（実績）に注目して、この視聴履歴に関連する所謂５Ｗ１Ｈといった６つの視座からこの視聴履歴を解析し、更には、学習に該当する情報処理手法をも利用して、視聴態様の類型に係る情報を整理して保有し、該保有された情報に基づいて、視聴者を特定し、従って、この視聴者に対応する視聴態様の類型を識別して、その視聴者にその時点ないしその他の状況では最も適合すると推定されるコンテンツを自動的に選択して表示ないし発音に供する。
【００６２】
図５において、アイテムＷ１は、５Ｗ１ＨのうちのWhen（いつ、若しくは、どんなときに）といった視座で見たときの視聴態様に係る情報の取得処理を表している。これは、図４のフローチャートにおけるステップＳ４０５について既述の標準時刻情報の取得処理がこれに該当するものであり、ＧＰＳの情報や電波時計の情報を利用する。
また、アイテムＷ２は、５Ｗ１ＨのうちのWhere（どこで、どこに、若しくは、どこから）といった視座で見たときの視聴態様に係る情報の取得処理を表しており、図４のフローチャートにおけるステップＳ４０４について既述の位置情報の取得がこれに該当するものであり、ＧＰＳの情報やＩＰ網からの地図情報を利用する。
【００６３】
アイテムＷ３は、５Ｗ１ＨのうちのWho（だれが、若しくは、どんな人が）といった視座で見たときの視聴態様に係る情報の取得処理を表しており、リモートコントローラ２００において取得されるユーザー認証情報、または、ＲＦ−ＩＤタグを備えた腕時計６００をＲＦ−ＩＤ検出部６６０にかざしたことによって取得されるユーザー認証情報、もしくは、カメラ１９０によって撮影した視聴領域内の人物の画像に対して画像認識処理を施して識別されるような情報の取得である。尚、特段に認証情報を取得せずとも、リモートコントローラへの操作態様に基づいて、例えば、朝のニュース等と夕方のアニメ、夜の映画放送等の視聴履歴を得て、これらの時間帯毎の供給コンテンツの種別から視聴者を推定するようにしても良い。
【００６４】
アイテムＷ４は、５Ｗ１ＨのうちのWhat（なにを、どんなことを、若しくは、どんなものを）といった視座で見たときの視聴態様に係る情報の取得処理を表しており、デジタルコンテンツに多く付随しているコンテンツを表す情報であるメタデータ情報や番組欄（ラテ欄）所載のような情報を入力切換部１６１の出力から分離するなどして取得する処理であり、或いはまた、リモートコントローラに対する切換操作によって認識される切換操作情報の取得である。メタデータ情報の分離抽出は、視聴者が選択したコンテンツに対応するものについて実行すればよい。
【００６５】
アイテムＷ５は、５Ｗ１ＨのうちのWhy（なぜ、どうして、若しくは、なんのために）といった視座で見たときの視聴態様に係る情報の取得処理を表しており、視聴者の意図に係る情報の取得であって、視聴したコンテンツのソース（その選択の仕方）の情報や、リモートコントローラへの操作（その操作の仕方）の情報の取得である。
その番組（コンテンツ）を意識的に選択視聴したのか、或いは、選局中のザッピング（テレビを視聴するときにＣＭや番組の途中で次々にチャンネルを切換えること）で偶々見たのかの識別に関する履歴情報の取得、或いはまた、選択にどの様なメタデータを使ったのかといった情報の取得などもこれに該当する。
【００６６】
アイテムＨ１は、５Ｗ１ＨのうちのHow（どのように、どんなふうに、若しくは、どうやって）といった視座で見たときの視聴態様に係る情報の取得処理を表しており、例えば、通常画質（ＳＤ）か或いは高精細画質（ＨＤ）かといったような映像表示部に供給する映像の画質の等級を表す画質情報、または、映像と音声との双方の再生か或いは何れか一方だけの再生かといった別を表す映像／音声情報のうちの何れかの情報の取得等である。
【００６７】
システムコントローラ１７０の視聴態様類型機能部ＡＵＣは、上述のような取得された各アイテムＷ１〜Ｗ５，Ｈ１の情報に基づいて視聴態様の類型を識別して視聴態様類型（視聴者分類）ＣＯＡに関する履歴を蓄積し、学習して、この蓄積された履歴ないし学習された情報に依拠して、パネルディスプレイ装置１００の視聴領域内に居る視聴者に対応する視聴態様の類型、および、時刻や曜日その他の条件を勘案して、そのときの条件に最も適合すると推定されるコンテンツを選択して、表示器１６０に表示し、および／または、スピーカ１４２から音声を出力させる。
【００６８】
尚、上述のパネルディスプレイ装置に係る技術的手法は、視聴者による視聴の類型を識別し、該識別された類型に対応したコンテンツを選択して映像表示部または音声出力部の何れか一方または双方に供給することを特徴とするコンテンツ提供方法としても観念される。
このようなコンテンツ提供方法では、例えば、リモートコントローラ２００での使用者認証による視聴者の識別に係る情報やカメラ１９０による撮影情報や、或いは、ＲＦ−ＩＤ装置を利用した使用者の認証情報（Ｗ３）、更には、現在時刻の情報（Ｗ１）、設置位置の情報（Ｗ２）、コンテンツを表す情報（Ｗ４）、視聴者の意図を表す情報（Ｗ５）、画質を表す情報（Ｈ１）等々を利用して視聴者による視聴の類型を識別し（ＡＵＣ）、該識別された類型（ＣＯＡ）に対応したコンテンツを選択して映像表示部１６０または音声出力部１４２の何れか一方または双方に供給する。
【００６９】
以上説明した本発明のパネルディスプレイ装置によれば、この装置の導入の当初においては、通常のリモートコントローラでコンテンツを選択するような使用感と大きな差異がないが、使うほどに学習が進み、例えば翌日には、少なくとも定時のニュース、天気予報、連続テレビドラマのチャンネル選択は自動化できる様に成長するといったように、経時的に一段と適切なコンテンツを自動的に選択できるようになることが期待できる。
【００７０】
また、実施の形態の装置では、ＤＬＮＡインターフェース部１５２やＩＰ網インターフェース部１５１を備えているため、上述した履歴の情報や学習によって形成される情報を複数の位置に設置された（例えば、書斎、居間、携帯用）パネルディスプレイ装置間でネットワークを通して相互に共有できる。このため、これら複数パネルディスプレイ装置において、より簡便に所望のコンテンツの提供を受けることが可能になる。
【００７１】
同様に、上述した履歴の情報や学習によって形成される情報を他のパネルディスプレイ装置等とネットワークを通して相互に共有できるので、例えば、公衆浴場、理髪店、レストラン、旅館、出張時のホテル等に設置された固定のパネルディスプレイ装置等に視聴者の履歴から推定される希望コンテンツが自動的に供給されるようにする事も可能である。
この場合、例えば、食堂では、視聴者の嗜好（視聴態様類型）について、各一の視聴態様類型に該当する人数に着目して、その多数決で映像コンテンツが選択されるようにしてもよい。
【００７２】
上述のようなネットワークを通しての視聴履歴の情報や学習によって形成される情報の共有技術を応用すれば、例えば、駅構内の移動時間に無線ＬＡＮからのコンテンツ（ニュース、天気予報）の視聴が可能であったという「履歴記録」から、その時刻、場所に、自動的に無線ＬＡＮ回路を起動して最新のコンテンツ（ニュース、天気予報）を自動提供するようなインフラストラクチャを構築すれば、視聴者は、この「履歴記録」に対応するコンテンツ（ニュース、天気予報）を自動的に提供されるといった便益を享受できる。
【００７３】
更に、履歴及び将来の予約に関しては、これらの情報の授受や参照に供される標準フォーマットを設定しておけば、パネルディスプレイ装置間及び外部情報機器との情報交換が円滑にできるため、パーソナルコンピュータ等を用いて視聴者の予約データを修正するといったことも可能となる。
他方、上述のパネルディスプレイ装置におけるように、位置情報、時刻情報、提供コンテンツと視聴者との対応情報を記録できるように構成されていれば、コンテンツ提供者がそのコンテンツに関しての一般視聴者の注目度、利用度、等に関する正確な情報をネットワークを通して入手可能となる。
【００７４】
この場合、上述の実施の形態のパネルディスプレイ装置では、コンテンツ提供履歴を記録できる電子機器として機能するものであり、且つ、利用者へのコンテンツ提供状況を実態に即して記録できるため、コンテンツが利用者に視聴されたか否かの事実を確認でき、提供コンテンツの最適な提供方法等を検討する事が出来る。
例えば、パネルディスプレイ装置による掲示場所に提供されたコンテンツを見ていない人を例えばＲＦ−ＩＤ等を用いての認証との併用により識別する事も可能となる。このような機能はコンテンツ提供機器側のシステムで実現することも可能であるが、実施の形態の装置では、実際にパネルディスプレイ装置からコンテンツが提供されたかという実態に即した履歴をパネルディスプレイ装置が記録しているため、これに依拠して正確な認識を行うことができる。
【００７５】
この場合、少なくとも、パネルディスプレイ装置のコンテンツ提供時に、該当する視聴者がコンテンツを視聴する可能性があったかといった情報が履歴として参照できるので、非常に確実で有益な情報を得ることができる。
また将来的には、大小様々なこの種のパネルディスプレイ装置が数多く設置されることが想定され、このような場合、各々が場所、時刻、提供コンテンツと視聴者の対応情報を記録できるように構成すれば、視聴者の必要としない時間でのディスプレーの消灯、待機モードへの自動移行、及び映像提供状態への自動移行が可能となり、これによる省電力効果は非常に大きい。
【００７６】
何れにしても、視聴者に提供されたコンテンツに関しての履歴情報をコンテンツを視聴者に提供する最前線のパネルディスプレイ装置で記録するので、そのコンテンツのソース、入手手段に関係無く、コンテンツ視聴履歴を類型別に蓄積する事が可能となる。これらの情報の解析によって、視聴者に対してより適切なコンテンツの提供が可能となる。
【図面の簡単な説明】
【００７７】
【図１】本発明の一つの実施の形態としてのパネルディスプレイ装置とその使用状況を表す図である。
【図２】図１のパネルディスプレイ装置としてのデジタルテレビの構成を示すブロック図である。
【図３】図１中のリモートコントローラの構成を示すブロック図である。
【図４】本発明の実施の形態としてのパネルディスプレイ装置の動作を説明するためのフローチャートである。
【図５】図４のフローチャートにおける視聴者予測処理に関係する動作の詳細を説明するための概念図である。
【符号の説明】
【００７８】
１００…デジタルテレビ  １０１…筐体  １０２…スクリーン  １１０…アンテナ  １２０…復調・フィルタリング部  １３０…映像処理部  １３１…ＯＳＤ部  １４０…音声処理部  １４１…増幅器  １４２…スピーカ  １５１…ＩＰ網インターフェース部  １５２…ＤＬＮＡインターフェース部  １６０…表示器  １６１…入力切換部  １７０…システムコントローラ  １７１…操作部  １７２…メモリ  １８０…リモートコントロール信号検出用窓  １８１…リモートコントロール信号受信部  １８２…リモートコントロール信号デコード部  １９０…カメラ  ２００…リモートコントローラ  ２０１…筐体  ２１１…相対位置検出手段  ２１２…検出特性調整部  ２２０…リモートコントロール信号投射部  ２３０…システムコントローラ  ２３１…操作・表示部  ２３２…メモリ  ２４０…外部機器インターフェース  ２５１…接続検出部  ３００…ＰＶＲ  ３１０…ＳＴＶ（セットトップボックス）４００…ＩＰ網  ４５０…サーバ  ６００…腕時計  ６６０…ＲＦ−ＩＤ検出部
【図１】
2007189397.tif 000003
【図２】
2007189397.tif 000004
【図３】
2007189397.tif 000005
【図４】
2007189397.tif 000006
【図５】
2007189397.tif 000007